(57)【要約】【課題】今まで使用されていなかった空間に生ごみ処理機を設けることで、流し台内の収納容積を減少させることなく収納容積を確保し、また、乾燥ごみの取り出し作業性の改善を図った流し台を提供する。【解決手段】流し台本体１０の上面の天板１１に凹みを設けてシンク１２を形成し、シンク１２の奥側の天板１１のコーナー部分に生ごみ投入口１３を設け、生ごみ投入口１３には、投入口蓋１４が開閉自在に設けられている。また、流し台本体１０の内部でシンク１２の後方には生ごみ投入口１３の下部に生ごみ処理機２０を設け、その内部には、上方に着脱自在に処理容器２１を設けている。【選択図】図１
2009247635.tif 000002
【特許請求の範囲】
【請求項１】
生ゴミを収用するための処理容器を有する生ごみ処理機をシンクの奥側後方の空間部に配置した流し台。
【請求項２】
シンク後方の天板部に生ゴミを投入するための生ごみ投入口を設け、生ごみ処理機の処理容器を前記生ごみ投入口から着脱自在に構成した請求項１記載の流し台。
【請求項３】
シンク側面に生ゴミを投入するための生ごみ投入口、シンク後方の天板部に処理容器を出し入れするための開口部を設けた請求項１記載の流し台。
【請求項４】
シンク後方の天板部又は壁面に生ごみ投入口、流し台本体の側面に処理容器を着脱可能な取り出し口を設けた流し台。
【発明の詳細な説明】
【技術分野】
【０００１】
本発明は、生ごみ処理機を設けた流し台に関するものである。
【背景技術】
【０００２】
従来の生ごみを乾燥処理する流し台に組み込まれた生ごみ処理機としては、図７、図８にその構造を示すものがある。一般的にこの種の生ごみ処理機４においては、流し台１の内部を占有して設けられており、天板２の上面シンク３のコーナー部に設けられた生ごみ投入口５と連通している。
【特許文献１】特開平１１−１３７３５２号公報
【発明の開示】
【発明が解決しようとする課題】
【０００３】
しかし前記従来の構成での生ごみ処理機組み込みの流し台は、シンク下に設けられているため、流し台内の収納容積が小さくなること、また乾燥処理後のごみは扉や引き出しを開けて取りださなければならず、作業的にも煩わしいという課題があった。
【０００４】
本発明は上記課題を解決しようとするもので、流し台のシンク奥側のデッドスペースを利用し、その場所に生ごみ処理機を収納することにより、流し台内の収納容積を確保すると共に、乾燥ごみの取り出し作業性を改善した生ごみ処理機を組み込んだ流し台を提供することにある。
【課題を解決するための手段】
【０００５】
本発明は上記課題を解決するために、生ゴミを収用するための処理容器を有する生ごみ処理機をシンクの奥側後方の空間部に配置したもので、今まで使用されていなかった空間に生ごみ処理機を設けることで、流し台内の収納容積を減少させることなく収納容積を確保し、また、乾燥ごみの取り出し作業性の改善を図ることができる。
【発明の効果】
【０００６】
本発明の流し台は、今まで使用されていなかった空間に生ごみ処理機を設けることで、流し台内の収納容積を減少させることなく収納容積を確保し、また、乾燥ごみの取り出し作業性の改善を図ることができる。
【発明を実施するための最良の形態】
【０００７】
第１の発明は、生ゴミを収用するための処理容器を有する生ごみ処理機をシンクの奥側後方の空間部に配置したもので、今まで使用されていなかった空間に生ごみ処理機を設けることで、流し台内の収納容積を減少させることなく収納容積を確保できる。
【０００８】
第２の発明は、シンク後方の天板部に生ゴミを投入するための生ごみ投入口を設け、生ごみ処理機の処理容器を前記生ごみ投入口から着脱自在に構成したことで、流し台の収納容積を確保すると共に、流し台の前面扉や引き出しを開けて処理容器を取り出すような煩わしい作業もなくなり、流し台の上でごみ処理作業が完結する。更に、流し台内で処理容器の取り出し作業がなくなり、ごみこぼれ等による流し台内の汚れや臭い拡散もなく衛生的で、処理容器の取り出しで、例えごみがこぼれてもシンク上であるため容易に清掃ができる等の多大なメリットが生まれるものである。
【０００９】
第３の発明は、シンク側面に生ゴミを投入するための生ごみ投入口、シンク後方の天板部に処理容器を出し入れするための開口部を設けたことで、シンク内に投入口があるため、生ごみを投入する際、その周囲が汚れた場合、容易に清掃をすることができる。
【００１０】
第４の発明は、シンク後方の天板部又は壁面に生ごみ投入口、流し台本体の側面に処理容器を着脱可能な取り出し口を設けたことで、ごみが入った処理容器の収納、取り出し作業と食器等を収納、取り出す流し台前面からの作業とを位置的に分離・区分できるため、ごみの扱いに対して使用者に安心感をもたらせることができる。また、上方に処理容器を着脱自在にする構成の場合は、処理容器の大きさは、生ごみ投入口の大きさ以下となり、その投入口も天板の面積が限られているため、大きさが制限され、処理容器の処理容量も大きくできないが、流し台側面からの処理容器の着脱はその制限がなく、処理容器の処理容量も大きくできる効果がある。
【００１１】
以下、本発明の実施の形態について、図面を参照しながら説明する。なお、この実施の形態によって本発明が限定されるものではない。
【００１２】
（実施の形態１）
まず、本発明の実施の形態を図１、図２に基づいて説明する。
【００１３】
本発明の流し台は、図１、図２に示すように、流し台本体１０の上面の天板１１に凹みを設けてシンク１２を形成し、シンク１２の奥側の天板１１のコーナー部分に生ごみ投入口１３を設けたものである。生ごみ投入口１３には、投入口蓋１４が開閉自在に設けられている。また流し台本体１０の内部でシンク１２の後方には生ごみ投入口１３の下部に生ごみ処理機２０を設け、その内部には、上方に着脱自在に処理容器２１を設けている。また生ごみ処理機２０は乾燥ユニット２２、触媒ユニット２３、排気ユニット２４等で構成され、処理容器２１内の生ごみは、乾燥処理され触媒ユニット２３で脱臭された後、排気ユニット２４より、天板１１に設けられた排気口１５より室内に排気される。このようにシンク１２の奥側に生ごみ処理機２０を配置することにより、今まで使用されていなかった空間に生ごみ処理機２０を設けることで、流し台内の収納容積を減少させることなく収納容積を確保することができる。また、乾燥ごみの取り出し作業性については、前面の扉や引き出しを開けなくても、処理容器の取り出し作業ができ、ごみこぼれ等による流し台内の汚れや臭い拡散もなく、処理容器２１の取り出しで、例えごみがこぼれてもシンク１２上であるため容易に清掃ができる。
【００１４】
（実施の形態２）
次に、本発明の第２の実施の形態を図３、図４を用いて説明する。なお、実施の形態１と同一符号のものは同一構造を有し、説明は省略する。
【００１５】
本実施の形態において、実施の形態１と異なる点は、生ごみ投入口２０ａをシンク１２の側壁に設けた点である。
【００１６】
図において、生ごみ投入口２０ａはシンク１２の側壁に構成されており、開閉自在に設けた蓋１２ａにより、生ゴミ投入時に開口するように構成されている。従って、シンク内に投入口があるため、生ごみを投入する際、その周囲が汚れても、容易に清掃をすることができる。
【００１７】
（実施の形態３）
図６は、第２の実施例で、流し台側面１６に処理容器２１の取り出し口１７を設けたもので、取り出し口蓋１７ａにより、開閉自在に構成されており、処理容器２１を側面から着脱することが可能となり、生ごみ投入口１３の大きさには影響を受けずに処理容器２１を大きくできる。
【００１８】
なお、図７に示すようなアイランド型の流し台裏面１８に処理容器２１の取り出し口１７を設けても同様に、処理容器２１を裏面から着脱することにより、生ごみ投入口１３の大きさには影響を受けずに処理容器２１を大きくできる。
【産業上の利用可能性】
【００１９】
以上のように、本発明にかかる生ごみ処理機及び生ごみ処理機を設けた流し台は、シンク後方、引き出しの奥側に位置し、上部に生ごみ投入口、その下に着脱自在な処理容器を設け、今まで使用されていなかった空間に生ごみ処理機を設けることで、流し台内の収納容積を確保し、また、乾燥ごみの取り出し作業性の改善も図られ、生ごみ処理機を単独設置することに代わり、流し台内部の空間を有効利用することで、キッチン全体の空間を有効活用できる。
【図面の簡単な説明】
【００２０】
【図１】本発明の第１の実施の形態の流し台の透視図
【図２】本発明の第１の実施の形態の流し台の側面図
【図３】本発明の第２の実施の形態の流し台の透視図
【図４】本発明の第２の実施の形態の流し台の側面図
【図５】本発明の第３の実施の形態の流し台の斜視図
【図６】本発明の第３の実施の形態の他の形態の流し台の斜視図
【図７】従来の流し台の斜視図
【図８】従来の流し台の側面図
【符号の説明】
【００２１】
１０  流し台本体
１１  天板
１２  シンク
１３、２０ａ  生ごみ投入口
１６  流し台側面
１７  取り出し口
１８  流し台裏面
２０  生ごみ処理機
２１  処理容器
【図１】
2009247635.tif 000003
【図２】
2009247635.tif 000004
【図３】
2009247635.tif 000005
【図４】
2009247635.tif 000006
【図５】
2009247635.tif 000007
【図６】
2009247635.tif 000008
【図７】
2009247635.tif 000009
【図８】
2009247635.tif 000010